(57)【特許請求の範囲】
【請求項１】
本体ケースの前面に配した外扉を施錠，解錠する自動販売機の外扉ロック装置であって、リモートコントロールキーを使って解錠する扉ロック機構と、リモートコントロールキーによる解錠が不能の際に工具を使って外部から扉ロック機構を強制的に釈放するための作業通路として外扉の隅部に開口した工具差し込み用のメンテナンス穴と、合鍵を使って施解錠する手動錠にて前記メンテナンス穴を開閉するシャッタ付きロックとを具備してなることを特徴とする自動販売機の外扉ロック装置。
【請求項２】
請求項１記載の外扉ロック装置において、本体ケースの前面に突き出した鉤形ロック板と、外扉の内部に組み込んで前記ロック板に係合し合う上下スライド式のストライクと、ストライクに連結したヨークカムとからなる扉ロック機構に対し、解錠信号に基づく通電制御により前記ヨークカムを介してストライクを釈放位置にスライド操作するモータと、リモートコントロールキーから発信するＩＤ信号を受信してその信号を読み取る無線式のセンサ部とを組合せ、リモートコントロールキーのＩＤ信号が適正である場合にモータを通電制御して扉ロック機構を解錠するようにしたことを特徴とする自動販売機の外扉ロック装置。
【請求項３】
請求項２記載の外扉ロック装置において、ヨークカムが、ストライクに連結したカム溝付きのヨーク板と、モータに連結して前記カム溝に嵌合したクランク式のカムピンとからなり、モータの通電制御によりヨークカムを介してストライクをロック板に対してロック位置，釈放位置，ロック待機位置に保持するようにしたことを特徴とする自動販売機の外扉ロック装置。
【請求項４】
請求項３記載の外扉ロックにおいて、ストライクをロック待機位置に保持した状態で外扉を閉じた際に、ストライクがロック板に係合して自動的にロックが掛かるようなオートロック機能を持たせたことを特徴とする自動販売機の外扉ロック装置。
【請求項５】
請求項２記載の外扉ロック装置において、ストライクを、ロック板と係合し合う第１のスライダと、ヨークカムを取付けて第１のスライダに添わせた第２のスライダと、第１のスライダを第２のスライダに対し相対的に上下移動可能に連結したねじ送り機構とで構成し、かつ前記ねじ送り機構のねじ操作端を外扉の隅部に開口したメンテナンス穴に臨ませたことを特徴とする自動販売機の外扉ロック装置。
【請求項６】
請求項１記載の外扉ロック装置において、メンテナンス穴を外扉の上面隅部に開口したことを特徴とする自動販売機の外扉ロック装置。
【発明の詳細な説明】
【０００１】
【発明の属する技術分野】
本発明は、自動販売機の外扉ロック装置に関する。
【０００２】
【従来の技術】
自動販売機の外扉ロック装置として、合鍵を使ってシリンダ錠を施錠，解錠する手動錠付きハンドルロックに代え、保安性を高めることを狙いにリモートコントロールキーを使って扉ロック機構を解錠するようにした構成の外扉ロック装置が特開平７−２２５８６９号とし本発明と同じ出願人より先に提案されて公知である。
【０００３】
前記提案による外扉ロック装置では、外扉の前面に露呈する手動錠付きハンドルロックを排除した上で、外扉を閉位置にロックする扉ロック機構に対して、ロック釈放用の電磁ソレノイド（直動形ソレノイド），およびリモートコントロールキー（送信器）から発信したＩＤ信号を受信して読み取り、そのＩＤ信号が適正である場合に前記ソレノイドに解錠信号を与えて通電制御するセンサ部を組合せ、リモコン方式で外扉のロック機構を解錠するようにしており、さらに同提案ではリモコン方式の扉ロック機構に対するバックアップ手段として、外扉の下面側にロック釈放用の手動錠を設けて扉ロック機構との間をワイヤで連繋した構成も提案されている。
【０００４】
【発明が解決しようとする課題】
ところで、前記した従来の外扉ロック装置では保安管理面で次記のような問題点が残る。すなわち、扉ロック機構を電磁ソレノイドの操作で釈放するようにした前記提案の構成では、ソレノイドの直線動作で釈放レバー，ないしラッチを釈放位置に駆動操作してロックを外すような仕掛けになっている。したがって、外扉の壁面一部をドリルなどを使って穴を開け、ここに外部から棒などを差し込んで前記の釈放レバー，ないしラッチを突くことにより、簡単にロックが外れて外扉を開くことが可能である。また、リモートコントロールキーのバックアップ用として装備した手動錠の設置箇所を破壊して扉ロック機構に連繋したワイヤを引っ張ることで簡単にロックが外れて外扉が開けられてしまうおそれがあって高い保安性が確保できない。
【０００５】
本発明は上記の点に鑑みなされたものであり、その目的は前記課題を解決し、悪戯行為に対して高い防盗性，並びに非常時のサービス性が確保できるよう改良したリモートコントロールキー方式外扉ロック装置を提供することにある。
【０００６】
【課題を解決するための手段】
上記目的は、本発明により次記のように構成することにより達成される。
（Ｉ）第１の発明：リモートコントロールキーを使って解錠する扉ロック機構と、リモートコントロールキーによる解錠が不能の際に工具を使って外部から扉ロック機構を強制的に釈放するための作業通路として外扉の隅部に開口した工具差し込み用のメンテナンス穴と、合鍵を使って施解錠する手動錠にて前記メンテナンス穴を開閉するシャッタ付きロックとを具備する（請求項１）ものとし、具体的には次記のような態様で構成する。
【０００７】
（1）扉ロック機構を、本体ケースの前面に突き出した鉤形ロック板と、外扉の内部に組み込んで前記ロック板に係合し合う上下スライド式のストライクと、該ストライクに設けたヨークカムとから構成するとともに、この扉ロック機構に対し、解錠信号に基づく通電制御により前記ヨークカムを介してストライクを釈放位置にスライド操作するモータと、リモートコントロールキーから発信するＩＤ信号を受信してその信号を読み取るセンサ部との組合せ、リモートコントロールキーから受信したＩＤ信号が適正である場合にモータを通電制御して扉ロック機構を解錠するようにする（請求項２）。
【０００８】
（2）前項(1) において、ヨークカムを、ストライクに連結したカム溝付きのヨーク板と、モータに連結して前記カム溝に嵌合したクランク式のカムピンとから構成し、モータの通電制御によりヨークカムを介してストライクをロック板に対してロック位置，釈放位置，ロック待機位置に保持させる（請求項３）。
【０００９】
（3）前項(2) において、ストライクをロック待機位置に保持した状態で外扉を閉じた際に、ストライクがロック板に係合して自動的にロックが掛かるようなオートロック機能を持たせる（請求項４）。
【００１０】
（4）前項(1) において、ストライクを、ストライクを、ロック板と係合し合う第１のスライダと、ヨークカムを取付けて第１のスライダに添わせた第２のスライダと、第１のスライダを第２のスライダに対し相対的に上下移動可能に連結したねじ送り機構とで構成し、かつ前記ねじ送り機構のねじ操作端を外扉の隅部に開口したメンテナンス穴に臨ませて配置する（請求項５）。
(5) 前記のメンテナンス穴を外扉の上面隅部に開口する（請求項６）。
【００１１】
前記構成によれば、外扉を閉位置にロックしている状態では、ストライクがモータの回転に連動動作するヨークカムでロック位置に拘束保持されており、仮に外扉を突き破って開けた穴に棒などを差し込んでヨークカム，あるいはストライクを単純に直線的に突き上げようとしても、ストライクがロック板との係合位置から動かないので扉ロック機構のロック外すことができない。
【００１２】
また、メンテナンス穴を正面からでは人目に付かない外扉の上面に開口した上で、このメンテナンス穴に合鍵で解錠するシャッタ付きロックを設けたことにより、仮に加害者がこのロックを見つけても手動錠の破壊作業がやりにくく、また万一手動錠が破壊されたとしても、前述のように扉ロック機構のストライクを直ちに釈放位置に動かすことができないので高い保安性が確保できる。なお、商用電源が停電したり、漏電しゃ断器が作動して自動販売機の電源が使用できない非常時でも管理者は合鍵を使って前記のシャッタ付きロックを解錠した上で、メンテナンス穴から扉内部に工具を挿入してストライクを釈放位置に移動操作することにより、外扉を開くことができてサービス性にも支障を来すことがない。
【００１３】
【発明の実施の形態】
以下、本発明の実施の形態を図示の実施例に基づいて説明する。
〔実施例１〕まず、図１ (a),(b) で外扉ロック装置の概要を説明する。図において、１は自動販売機の本体ケース、２は本体ケース１の前面に配した外扉（片側を本体ケースにヒンジ結合した片開き式扉でディスプレイ室２ａ，商品取出口２ｂなどを装備している）であり、本体ケース１と外扉２との間（ヒンジと反対側）には外扉２を閉位置に鎖錠するメカニカル式の扉ロック機構３と、外扉２の内方に組み込んで扉ロック機構３を釈放操作するモータ４と、リモートコントロールキー５から外扉２の前方に向けて発信したＩＤ信号を受信し、その信号を読み取った上でＩＤ信号が適正（自動販売機ごとにＩＤコードが指定されている）である場合にモータに解錠信号を与えるセンサ部６とを組合せて外扉ロック装置を構成している。そして、これら各部品は自動販売機の前方からは見えないように外扉２の内方に組み込まれている。なお、前記したリモートコントロールキー５とセンサ部６との間の信号伝達方式としては、リモートコントロールキーから発信した電波，ないし赤外線でＩＤ情報をセンサ部に送る方式，あるいはリモートコントロールキーとしてＩＣカードを用い、カードを外扉２に近づけた際にカードに記憶されているＩＤ情報をセンサ部６が非接触式に読み取るカード方式などが採用できる。
【００１４】
また、外扉２の上面には、上方から工具（専用のドライバ）７を扉内部に差し入れて前記のメカニカル式扉ロック機構３を強制的に釈放させるための作業通路となるメンテナンス穴８、および合鍵９を使って施解錠する手動錠にて前記メンテナンス穴８を開閉するシャッタ１０ａ付きロック１０を備えている。なお、１１はモータ４に対する制御用のモータドライバである。
【００１５】
次に、前記した扉ロック機構３の詳細構造を図２ (a) 〜(d) に示す。すなわち、扉ロック機構３は、本体ケース１の前面から上下２か所に突き出した鉤形ロック板３ａ（図示には下部側のロック板が省略されている）と、外扉２の内部に組み込んで前記ロック板３ａに係合し合う上下スライド式のストライク３ｂと、該ストライク３ｂの側部に設けたヨークカム３ｃとからなる。
【００１６】
ここで、ロック板３ａは、その先端上部を斜めにカットしてストライク３ｂに対する挿入ガイド面３ａ-1を形成し、その後部に凹状の係合溝３ａ-2を形成した構造になる。一方、ストライク３ｂは、外扉２に上下方向へスライド可能に案内支持された長尺のＵチャンネル板としてなり、前記ロック板３ａと対向する部位に角穴３ｂ-1が開口している。また、ヨークカム３ｃは、ストライク３ｂから側方に突き出したカム溝付きヨーク板３ｃ-1と、先記モータ４の出力軸に連結した円板カム４ａに植設してヨーク板３ｃ-1のカム溝に嵌合するクランク式のカムピン４ｂとの組合せからなり、かつカム溝３ｃ-2は図示のように「Ｔ」字を横向きにした異形の溝形状になる。
【００１７】
さらに、前記の円板カム４ａに対向してその周上には９０°ずつ位置をずらして３個のカムスイッチ３ｄ，３ｅ，３ｆが配置されている。ここで、カムスイッチ３ｄはストライク１０の釈放位置を，カムスイッチク３ｅは待機位置を，カムスイッチ３ｆはロック位置を検出する。また、前記のスイッチとは別に本体ケース１の前面には外扉２の閉位置を検出する扉スイッチ３ｇを装備している。そして、各スイッチの動作信号を図１（b） に示したモータドライバ１１に入力してモータ４を後記のように制御する。
【００１８】
かかる構成で、外扉２を閉じた状態では、図２で示すようにロック板３ａがストライク３ｂの角穴３ｂ-1に嵌まり込んで係合溝３ａ-2に係止されており、かつヨークカム３ｃのカム溝３ｃ-2に対してモータ４に連結したカムピン４ｂが図示の位置に停止してストライク３ｂを図示位置に拘束している。したがって、この状態では破壊行為で外部からストライク３ｂを持ち上げようとしても、ストライクが動かないのでロック板３ａとの係合を釈放することができない。
【００１９】
一方、図１で述べたように、自動販売機の管理者がリモートコントロールキー５を使ってＩＤ信号を送信すると、センサ部６からの解錠信号を基に、モータドライバ１１の通電制御によりモータ４が始動して円板カム４ａ，カムピン４ｂを反時計方向に回転し、図２のロック位置から１８０°回転するとカムスイッチ３ｄ（図２（b） 参照）が動作してその信号でモータ４を停止する。一方、カムピン４ｂがヨークカム３ｃのカム溝３ｃ-2に沿って反時計方向に回転すると、ヨーク板３ｃ-1が持ち上げられるとともに、ヨーク板３ｃ-1に連結したストライク３ｂが上昇して図３(a),(b) の位置に移動する。この状態になると、ストライク３ｂがロック板３ａの係合溝３ａ-2から抜け出すので外扉２に手を掛けて自由に開くことができる。
【００２０】
そして、図３に示したロック釈放状態で外扉２を開放すると、扉スイッチ３ｇが動作してその信号を基にモータ４が再始動して円板カム４ａ，カムピン４ｂを反時計方向に駆動し、ここで円板カム４ａが９０°回転するとカムスイッチ３ｅ（図２ (b) 参照）が動作してその信号によりモータ４が停止し、図４ (a),(b) で示すロック待機状態となる。このロック待機状態では、カムピン４ｂがヨークカム３ｃのカム溝３ｃ-2に対して図示位置に停止してヨーク板３ｃ-1を支えており、これによりストライク３ｂが図２と同じレベルまで下降することになる。
【００２１】
ここで、図４のロック待機状態から外扉２を閉じると、ストライク３ｂに開口した角穴３ｂ-1の上縁がロック板３ａの挿入ガイド面３a-1に沿ってせり上がった後に、係合溝３ａ-2に落ち込んで自動的にロックが掛かる（オートロック機能）。なお、このせり上がり動作の過程では、カムピン４ｂに対してヨークカム３ｃのヨーク板３ｃ-1が上下方向に延在するカム溝３ｃ-2に沿って自由に動けるので、ストライク３ｂの動きを拘束することがない。そして、外扉２が完全に閉じると扉スイッチ３ｇの動作信号を基にモータ４が再始動して円板カム４ａ，カムピン４ｂを反時計方向に駆動し、ここで円板カム４ａが９０°回転するとカムスイッチ３ｆ（図２（b）参照）が動作し、その信号によりモータ４が停止して図２で示した施錠状態に復帰してストライク３ｂをロック位置に拘束保持する。図５は前記のように扉ロック機構３を解錠して外扉２を一旦開放した後、再び閉じて施錠するまでの一連の制御動作を表すフローチャート図である。
【００２２】
次に、前記扉ロック装置のリモコン操作による扉解錠が不能な場合のバックアップ手段として装備した本発明の請求項５，６に対応する構成，動作を図６，図７で説明する。
【００２３】
まず、図６ (a) 〜(d) において、扉ロック機構３のストライク３ｂは、内外二重に重ね合わせたＵチャンネル板としてなる２枚のスライダ３Ａ（第１のスライダ）と３Ｂ（第２のスライダ）からなり、第１のスライダ３Ａに背面にはロック板３ａと係合し合う角穴３Ａ-1が開口し、第２のスライダ３Ｂには前記角穴３Ａ-1よりも広範囲な角穴３Ｂ-1が開口しており、かつ第２のスライダ３Ｂにはヨークカム３ｃが連結されている。また、第１，第２のスライダ３Ａ，３Ｂの上端部からはそれぞれ上下に並んで内方に突き出すフランジ部３Ａ-2，３Ｂ-2を切り起こした上で、フランジ部３Ａ-2と３Ｂ-2との間をねじ３Ｃにより連結してねじ送り機構を構成し、このねじ送り機構のねじ操作により第１のスライダ３Ａを第２のスライダ３Ｂに対し相対的に上下方向へスライド可能に連結している。なお、フランジ部３Ａ-2にはねじ３Ｃの軸径よりも大きなばか穴が開けてあるのに対し、フランジ部３Ｂ-2にはねじ３Ｃと螺合するねじ穴が開けてある。また、ストライク３ｂの下端部側では第２のスライダ３Ｂに固定した段付きねじ３Ｄを第１のスライダ３Ａに開口した縦長な穴３Ａ-3に嵌め込んで案内支持している。
【００２４】
かかる構成で、ねじ３Ｃをいっぱいにねじ込んで第１のスライダ３Ａと第２のスライダ３Ｂが図６ (b),(c) で表すように同じ高さで重なり合うようセットしておけば、図２〜図４で述べた扉ロック機構３と同様に動作してリモートコントロールキー方式で解錠，施錠される。
【００２５】
これに対し、自動販売機の漏電しゃ断器が作動したり、商用電源が停電して自動販売機に装備した制御電源が使用できない場合でも、図６ (c) のように専用の工具（ドライバ）７を使ってねじ３Ｃを緩める方向に回すと、ねじ３Ｃがフランジ部３Ｂ-2から抜け出る方向に移動して第１のスライダ３Ａを上方に押し上げる。これにより、第１のスライダ３Ａとロック板３ａとの係合が外れるので、外扉２をそのまま前方に開くことができる。
【００２６】
ところで、先に図１で述べたように、外扉２の上面には前記の扉ロック機構に対して工具７を差し込むためのメンテナンス穴８が開口し、かつその開口端にシャッタ付きロック１０が組み込まれており、次にその詳細構造を図７を用いて説明する。すなわち、図７(a)，(b)に示すように、メンテナンス穴８が図６に示したねじ送り機構のねじ３Ｃに合わせてその直上位置に開口しており、その開口端にはシャッタ付きロック１０が組付けられている。ここで、ロック１０は合鍵９で解錠，施錠する手動錠（シリンダ錠）であり、その施錠位置ではシャッタ１０ａがメンテナンス穴８を閉塞している。この状態から合鍵９を使ってロック１０を解錠すると、シャッタ１０ａがメンテナンス穴８の側方に後退する。これにより、図７(b)で示すようにメンテナンス穴８を通して工具７を扉内に挿入し、扉ロック機構３のストライク３ｂを釈放位置に移動操作することができる。
【００２７】
【発明の効果】
以上述べたように、本発明の構成によれば次記の効果が奏する。
（1）請求項１の構成によれば、常時はリモートコントロールキー方式により外部から外扉のロック機構を解錠して扉を開放することかできるとともに、停電などによる電源切れ，リモートコントロールキーの故障などで扉ロック機構に釈放信号を与えることがきない非常時でも、管理者は合鍵を使ってシャッタ付きロックを解錠した上で、メンテナンス穴から扉内に工具を挿入してストライクを釈放位置に移動操作することにより、外扉を開くことができて機内点検，補修などのサービス性にも支障を来すことがない。
【００２８】
（2）請求項２，３の構成になる扉ロック機構を採用することにより、従来のソレノイド操作によるリモコン方式の扉ロック機構と比べて悪戯行為に対する保安性を高めることができ、また、扉ロック機構に請求項４のオートロック機能を持たせることで、外扉の施錠が簡単に行える。
【００２９】
（3）また、請求項５，６の構成によれば、工具を挿入して扉ロック機構を釈放するためにメンテナンス穴，およびシャッタ付きロックを前方から見えない外扉の上面に設けたので悪戯を受けにくく、またロックが万一破壊されたとしても、直ちに扉ロック機構を釈放することができないので高い保安性が確保できる。しかも、リモートコントロール操作での解錠が不能に非常時でも工具を使って外扉を開くことが可能となる。
【図面の簡単な説明】
【図１】  本発明の第１の実施例に対応する外扉ロック装置の概要図であり、（a）は自動販売機の全体図、（b）は外扉ロック装置の制御システムを表すブロック図
【図２】  図１における扉ロック機構のロック状態を表す詳細構造図であり、（a）は上面図、（b）は（a）におけるヨークカムに配した自走カムスイッチの配置図、（c）は正面図、（d）は側視断面図
【図３】  図２に示した扉ロック機構のロック釈放状態を表す図であり、（a）は正面図、（b）は側視断面図
【図４】  図２に示した扉ロック機構のロック待機状態を表す図であり、（a）は正面図、（b）は側視断面図
【図５】  図１の扉ロック装置の制御動作を表すフローチャート図
【図６】  図１の外扉ロック装置に対するバックアップ機能を持たせた扉ロック機構の詳細構造図であり、（a）は上面図、（b）は正面図、（c）,（d）はそれぞれ定常状態，および工具を使ったロック釈放状態を表す側視断面図
【図７】  図１におけるシャッタ付きロックの詳細な配置構造図であり、（a）は上面図、（b）は正面図
【符号の説明】
１…自動販売機の本体ケース、２…外扉、３…扉ロック機構、３ａ…ロック板、３ｂ…ストライク、３ｃ…ヨークカム、３Ａ…第１のスライダ、３Ｂ…第２のスライダ、３Ｃ…ねじ、４…モータ、５…リモートコントロールキー、６…センサ部、７…工具、８…メンテナンス穴、９…合鍵、１０…シャッタ付きロック
【図１】
0003700450.tif 000002
【図２】
0003700450.tif 000003
【図３】
0003700450.tif 000004
【図４】
0003700450.tif 000005
【図５】
0003700450.tif 000006
【図６】
0003700450.tif 000007
【図７】
0003700450.tif 000008